Podtech/llm-jp-corpus-v4-ja_patent huggingface dataset:
(57)【要約】【課題】      従来のスポンジとビニール手袋は別々になっているため、洗車やクルマにワックスを塗る場合にスポンジがビニール手袋から滑り落ち、スポンジに泥や異物が付いて車体の塗装に傷を付ける原因となる。また台所での食器洗い等の場合においても、ビニール手袋からスポンジが滑り落ちて作業性が悪かったりもする。【解決手段】  洗車や台所等の洗浄に用いるスポンジや車にワックスを塗る際に用いるスポンジの持つ吸水、排水及び弾力性の性能を犠牲にすることなくビニール手袋に接着して、一体にしたことを特徴とする。【選択図】図１
2008253688.tif 000002
【特許請求の範囲】
【請求項１】
洗車用スポンジまたは台所用洗浄スポンジとビニール手袋を接着して一体化したことを特徴とするスポンジ付きビニール手袋。
【請求項２】
請求項１のスポンジ付きビニール手袋において、右利きの場合スポンジの左サイド面に親指、スポンジの使用される面の上方面には人指し指と中指、右サイド面には薬指と小指が入るビニール手袋の指先がスポンジに接着されることを特徴とするスポンジ付きビニール手袋。
【請求項３】
請求項１のスポンジ付きビニール手袋において、左利きの場合スポンジの右サイド面に親指、スポンジの使用される面の上方面には人指し指と中指、左サイド面には薬指と小指が入るビニール手袋の指先がスポンジに接着されることを特徴とするスポンジ付きビニール手袋。
【請求項４】
請求項２及び請求項３のスポンジ付きビニール手袋において、スポンジとビニール手袋の各指の接着は、ビニール手袋の指先から指元までの任意の範囲で用途によって接着強度と寿命から適正な範囲で接着したことを特徴とするスポンジ付きビニール手袋。
【請求項５】
請求項１のスポンジ付きビニール手袋において、ビニール手袋の袖口付近には水切り用の堰を設けて、腕を上げた作業の際に水や洗剤等が流れ落ちても衣服の袖に流れないようにしたことを特徴とするスポンジ付きビニール手袋。
【発明の詳細な説明】
【技術分野】
【０００１】  本発明は、洗車や台所の食器洗い等に使用するスポンジ付きビニール手袋に関する。
【背景技術】
【０００２】  従来、洗車や台所での食器洗い等に使われるスポンジとビニール手袋は別々で製造され、販売されている。
【発明の開示】
【発明が解決しようとする課題】
【０００３】  上述の如く、従来技術に係るスポンジとビニール手袋とは別々になっているため、洗車やクルマにワックスを塗る場合にスポンジがビニール手袋から滑り落ち、スポンジに泥や異物が付いて車体の塗装に傷を付ける原因となる。また台所での食器洗い等の場合においても、ビニール手袋からスポンジが滑り落ちて作業性が悪かったりもする。【０００４】  本発明は、このような点に鑑みて成されたもので、その目的は、スポンジの吸水、排水性あるいは車にワックスを塗る際のスポンジの持つ弾力性等を犠牲にすることなくビニール手袋から脱落しないようにすることにある。
【課題を解決するための手段】
【０００５】  上述の目的を達成する本発明のスポンジ付きビニール手袋は、洗車や台所等の洗浄に用いるスポンジや車にワックスを塗る際に用いるスポンジを上述したスポンジの性能を犠牲にすることなくビニール手袋に接着し、一体にしたことを特徴とする。
【発明の効果】
【０００６】  以上説明したように本発明によれば、洗車や台所等の洗浄に用いるスポンジや車にワックスを塗る際に用いるスポンジをビニール手袋の掌側の指部分に接着して一体にしたことによって、洗車、台所での洗浄及び車のワックス掛け作業において、ビニール手袋からスポンジが滑り落ちることがないために、これらの作業等を行う上で極めて有効である。
【発明を実施するための最良の形態】
【０００７】  以下に本発明の実施の形態を図面に基づき詳細に説明する。図１は右利き用の立方体形状のスポンジ付きビニール手袋の外観斜視図である。図２は図１のＹ側から見た側面図であり、図３は図１のＸ側から見た側面図である。図４は右利き用のスポンジ付きビニール手袋のスポンジが掴み易いようにひょうたん型をした場合の実施例の外観斜視図である。尚、左利き用のスポンジ付きビニール手袋は右利き用を左右反対にしたものであり図は省略する。【０００８】  図１〜図３に見られるようにスポンジ２の左サイド面に親指４、スポンジ２の使用される面の上方面には人指し指５と中指６、右サイド面には薬指７と小指８が入るビニール手袋１の指先がスポンジ２に接着される。【０００９】  スポンジ２とビニール手袋１の各指の接着は、ビニール手袋１の指先から指元までの任意の範囲で用途によって接着強度と寿命から適正な範囲で行う。【００１０】  ビニール手袋１の袖口付近には水切り用の堰３を設けて、腕を上げた作業の際に水や洗剤等が流れ落ちても衣服の袖に流れないようにしている。【００１１】  図４はひょうたん形状のスポンジ９の場合の実施例であり、上述の立方体形状スポンジ２と同様、ひょうたん形状のくびれ部の左サイド面に親指４、くびれ部の右サイド面には薬指７と小指８、スポンジ９の使用される面の上方面には人指し指５と中指６が入るビニール手袋１の指先がスポンジ９に接着される。
【産業上の利用可能性】
【００１２】  本発明はスポンジ及びビニール手袋を製造、販売する産業分野で利用することができる。
【図面の簡単な説明】
【００１３】
【図１】図１は右利き用の立方体形状のスポンジ付きビニール手袋の外観斜視図である。
【図２】図１のＹ側から見た側面図である。
【図３】図１のＸ側から見た側面図である。
【図４】図４はひょうたん型スポンジの形状に適用した外観斜視図である。
【符号の説明】
１：ビニール手袋
２：立方体形状スポンジ
３：堰
４：親指袋
５：人指し指袋
６：中指袋
７：薬指袋
８：小指袋
９：ひょうたん型スポンジ
【図１】
2008253688.tif 000003
【図２】
2008253688.tif 000004
【図３】
2008253688.tif 000005
【図４】
2008253688.tif 000006
(57)【要約】【課題】  人工肛門の排泄物収容パウチが排泄物を排泄後も完全に清掃されず、内部が残渣で汚濁されているパウチを、洗浄液の潤滑による取捨促進と残渣の清掃までも美麗にする洗浄口を備えたパウチ。【解決手段】  パウチ上辺に洗浄口を設け、連携する開閉と漏出阻止の封止装置と溢出閉塞装置を備えた排泄物の取捨と内部を洗浄液で清掃するパウチ。【選択図】図３
2008253687.tif 000002
【特許請求の範囲】
【請求項１】
封止開閉と溢出閉塞が連携する装置の洗浄用開口を備えたパウチ。
【請求項２】
溢出閉塞装置にカラー資材で開口の標示を特徴とするパウチ。
【発明の詳細な説明】
【技術分野】
【０００１】人工肛門のパウチに蓄積された排泄物を、排泄並びに清掃洗浄するパウチに関するものである。
【背景技術】
【０００２】人工肛門排泄物収容パウチは２枚の柔軟性樹脂シートを結合形成してなる袋体で、中央に排泄物を受容する開口が在り下辺に排出口を設け、排泄物の流出防止に排出口に面ファスナー又はクリップで開閉を管理している。【０００３】従来の人工肛門排泄物の排出操作は、パウチに蓄積された排泄物を手動で押し出し排出口より排出するもので、その排泄物の状態は泥状又は軟便の排泄が多くパウチ内に充満付着するが、パウチ装具類の販売説明には排出操作の具体的な状況の実態説明は回避され、安易で簡単に手で絞り出す作業で完全美麗に排泄される如く説明されいるものが多く、然し実態は汚濁に満ち臭気の発散を恐れながら残渣の付着するパウチを、一日又は数日間パウチを新品と取り替えるまで、漏出の不安と周囲への臭気に神経を集中させて着用しているのが実情である。【０００４】
【特許文献１】  実用新案公開昭６０−２５１５
【特許文献２】  実開平７−３３３１０
【特許文献３】  登録実用新案第３０４３１７６
【特許文献４】  特許公表平１１−５１１０５３
【特許文献５】  特許公開２００６−１６８４０本問題に関し幾多の先願が解決の為に出願されているが、文献１は消臭液を目的とする物で有るが２〜３に於は共にパウチに孔又は類似の機能を設け、孔を用いて排泄物の排除を試み、文献４〜５は機械を用いて水を注入しパウチを洗浄するものである。【０００５】パウチに孔を設けることは良点も有るが欠点も発生する。注入口の設置は孔からの排泄物の流出又は漏出の発生が危ぶまれ、その防止に強力な閉塞手段を必要とし文献１〜３が採用する凹凸嵌合の蓋やファスナーが採用されているが、凹凸嵌合の蓋は形態上から部厚くなり腹部の装着は邪魔と違和感が生じ実用は敬遠され、文献２〜３のファスナーはパウチ外縁に設置される為に、人体肌面とファスナーは僅少な間隙しか無く、強力に嵌合するファスナーの嵌合と解除の作業は安易簡単では無い。【０００６】文献４は孔を用いずに排出口からポンプ機で水を噴射し、パウチ内部を水洗洗浄する物で洗浄は最適で有る、が、噴射で勢いを得た汚濁流は排出口から的確にトイレに流下するか、甚だ疑問でパウチを美麗にしてトイレを汚染する恐れが有る。【０００７】表記文献以外にも排泄に最も効果の有る洗浄口を用いる先願が多数有ると推測されるが、現在商品化されて使用されているものは見当たら無い。
【発明の開示】
【発明が解決しようとする課題】
【０００８】本発明は、公知で有っても商品化され無い洗浄注液口を、新たな発明で実用品化するものである。
主題はパウチを人体に装着したまま、排泄された蓄積物を注液口から注液された洗浄液で、パウチ内部に潤滑を与えて移動を促進し、蓄積物の排出と同時にパウチ内部の残渣をも洗浄清掃し、清潔で美麗な状態で着装を継続するものである。
【課題を解決するための手段】
【０００９】２枚の樹脂系資材シートの縁辺結合による袋形のパウチは、中央に排泄物受容の開口と下辺に排出口を備えている。パウチの２枚構成の上面シートに洗浄口を設け、洗浄口は開口と封止する開閉装置で機能を管理し、上面シートに設ける装置を封止装置、上下面シート中間に設ける装置を溢出閉塞装置とする。【００１０】溢出閉塞装置は注液口の直下と排泄物受容口の直上を覆う面積を持ち、排泄物が噴圧を以て溢出閉塞装置を圧し上げて注液口を閉塞し溢出を防止する。【００１１】溢出閉塞装置に着色資材を用い、パウチ資材と異色の対比色で所在が不明確となりがちな孔の所在を色違いで標示する。【００１２】溢出閉塞装置は注液に当たり、注液瓶口が蓄積物に直接挿入して瓶口の目詰まりによる注入不能を阻止し、注液は閉塞シートと上面シートの間隙を経て四散しパウチ内に流布される。【００１３】排出作業は、溢出閉塞装置に向け注入された液が四方に流散してパウチに充満すれば、パウチ外面から手を汚すこと無く撹拌し潤滑を得た後、適宜に排出口より取捨する。
【発明の効果】
【００１４】本発明のパウチは液の利用で排泄物の取捨は勿論、残渣までも簡潔で清潔に排出作業ができ、安価で経済的負担の少ないものである。
【発明を実施するための最良の形態】
【００１５】本発明の実施の形態について、図面を参照しながら説明する。
【実施例】
【００１６】図１は本発明のパウチの正面図である。
２枚の樹脂系シートの縁辺を結合した袋形パウチ１の上辺に洗浄用開口２を設け、注液口２の開閉に粘着剤の塗布されたシールによる封止装置３を設ける。【００１７】図２はパウチの溢出閉塞装置所在正面図である。
上面下面２枚のシートの中間に設けられる物で、外面からは見え無い物なので、パウチ１の上面を剥離した図示であり、注液口２より排泄物受容の開口５に渉る範囲を適宜な面積をもつカラーシート材の溢出閉塞装置４で覆い、四辺の角を接着し移動を防止する。パウチ１の資材は概ね透明或は薄色が用いられ、この資材に孔２を開けた場合、孔２の所在が不明確となるのでカラー違いの資材で所在を標示する。
排泄物は噴圧を持って排泄され、排泄口５直上に在る溢出閉塞装置４を噴圧で押し上げて、更なる上に在る注液口２を自動的に塞ぎ閉塞機能を発揮する。【００１８】図３はパウチの縦断面図である。
上面と下面の２枚のシートで形成されたパウチ１の、上面上辺に注液口２を設け注液口２を開閉と注液漏出を阻止する粘着剤が裏面に塗布されたシール状の封止装置３を備え、溢出閉塞装置４上端が上辺に接着され、人体に装着される下面中央に排泄物受容開口５が設けられている。
【図面の簡単な説明】
【００１９】
【図１】パウチ正面図。
【図２】溢出閉塞装置所在正面図。
【図３】パウチ縦断面図。
【符号の説明】
【００２０】１    パウチ
２    洗浄用開口
３    封止装置
４    溢出閉塞装置
５    排泄受容開口
６    排出口
【図１】
2008253687.tif 000003
【図２】
2008253687.tif 000004
【図３】
2008253687.tif 000005
(57)【要約】【課題】  木やアルミといった曲げ加工が可能な板材を連ねた物と、その上にかぶせる布から構成される自分らしく身につけられる頸椎装具を提供する。【解決手段】  袋状の布（２）の中央に面ファスナー（４）を設け、布（２）の表面にガーゼ（３）を設け、布の一端にボタン（１）を設け、ボタン（１）を設けた逆の一端に紐（６）を設け、その布（２）の中に、板（８）の両端にキャップ（７）を設け、それを平らな紐（５）で連ね、一端に面ファスナー（４）を設け、その逆の一端に、表面に面ファスナー（４）を設けた平らな紐（５）を設けた芯材を入れて構成される頚椎装具。【選択図】図１
2008253689.tif 000002
【特許請求の範囲】
【請求項１】
袋状の布（２）の中央に面ファスナー（４）を設け、布（２）の表面にガーゼ（３）を設け、布の一端にボタン（１）を設け、ボタン（１）を設けた逆の一端に紐（６）を設け、その布（２）の中に、板（８）の両端にキャップ（７）を設け、それを平らな紐（５）で連ね、一端に面ファスナー（４）を設け、その逆の一端に、表面に面ファスナー（４）を設けた平らな紐（５）を設けた芯材を入れて構成される頚椎装具。
【発明の詳細な説明】
【技術分野】
【０００１】  本発明は、木やアルミといった曲げ加工が可能な板材を連ねた物と、その上にかぶせる布から構成される自分らしく身につけられる頸椎装具に関するものである。
【背景技術】
【０００２】  従来、主に樹脂や発泡材を使用した頸椎装具があった。
【発明の開示】
【発明が解決しようとする課題】
【０００３】  現状の装具には、以下の問題点がある。
食事時や着替え時には取り外さなければいけないが、折りたためず、置き場所にこまる。
取り外したとき、安定して置けない。
洗えないため、不衛生である。
通気性が悪く蒸れる。
暑さ調節ができない。
長期使用するにも関わらず、
見た目が変えられないため、患者の服装の自由を損ねる。
患者の頸椎の形状に合わせて形の調節ができない。
【課題を解決する為の手段】
【０００４】  袋状の布（２）の中央に面ファスナー（４）を設け、布（２）の表面にガーゼ（３）を設け、布の一端にボタン（１）を設け、ボタン（１）を設けた逆の一端に紐（６）を設ける。
その布（２）の中に、板（８）の両端にキャップ（７）を設け、それを平らな紐（５）で連ね、一端に面ファスナー（４）を設け、その逆の一端に、表面に面ファスナー（４）を設けた平らな紐（５）を設けた芯材を入れて構成される頚椎装具。
【発明の効果】
【０００５】  この頸椎装具によって、以下のことが可能になる。
外食時など、装具を外して収納する必要がある時に丸めてコンパクトに収納可能である。
着替え時など、短時間だけ外してどこかに置く必要がある時、倒れる事無く安定して置いておける。
布だけ外して洗濯できる事で、常に清潔に使用できる。
上に被せる布の種類を変える事で気温にあった暑さ調節が出来るようになった。
上に被せる布の種類を変える事で患者の服装にあった着こなしができるようにした。
装具装着時に追加の曲げ加工が可能な素材を使用することで患者の首の形状に合わせて、形を微調節できるようにした。
はじめに用意する板材の高さと数を変える事によって患者の首の高さと太さに合わせた形を作れるようになった。
【発明を実施するための最良の形態】
【０００６】  以下、本発明を実施するための最良の形態について説明する。
袋状の布（２）の中央に面ファスナーを設け、布（２）の表面にガーゼ（３）を設け、布の一端にボタン（１）を設け、ボタン（１）を設けた逆の一端に紐（６）を設ける。
その布（２）の中に、板（８）の両端にキャップ（７）を設け、それを平らな紐（５）で連ね、一端に面ファスナー（４）を設け、その逆の一端に、表面に面ファスナー（４）を設けた平らな紐（５）を設けた芯材を入れて構成さる頚推装具。
板は（幅２０ｍｍ×厚み２ｍｍ）前後、高さはユーザーの首の高さにあうよう選択した木やアルミといった曲げ加工が可能な板材を用意する。
それをユーザーの首から鎖骨にかけてのカーブにあうようおおよその角度で曲げる。
その端を、顎にあたっても痛くないようにキャップをかぶせるなどの加工を施す。
それをユーザーの首の周囲にあうよう間隔を空けながら紐上の素材で編み込むように連ねる。
のど仏にあたる部分が空く長さにし、長さを調節して、マジックテープ（登録商標）などで留められるようにする。
さらに、その連ねた物の上に、布を被せる。
板材を紐上の素材でつなぎ合わせる構造にすることで、横方向に丸められるようにした。
丸めて円柱状にして、安定して置けるようにした。
上にかぶせる布を取り替えられる構造にして清潔に使用できるようにした。
板材を紐上の素材で編み込む構造にすることで通気性を確保した。
上にかぶせる布の種類を変えることで、通気性を調節できるようにした。
上にかぶせる布を変えることで、患者の服装にあった着こなしができるようにした。
装具装着時に追加の曲げ加工が可能な素材を使用することで患者の頸椎の形状に合わせて、形を微調節できるようにした。
横に丸めてコンパクトに収納できる。
布の通気性の種類を変えることにより、
冬は暖かく、夏は涼しく温度調節しながら使用できる。
布だけ取り外して洗濯できるので、常に清潔に使用できる。
布を取り替えることで、その日の洋服にあった着こなしができる。
装具装着時に追加の曲げ加工が可能な素材を使用することで患者の首の形状に合わせて、形を微調節できる。
【図面の簡単な説明】
【０００７】
【図１】  本発明の表面図である。
【図２】  本発明の裏面図である。
【図３】  本発明の側面図である。
【図４】  本発明の使用状態を示した説明図である。
【図５】  本発明の使用状態を示した説明図である。
【図６】  本発明の使用状態を示した説明図である。
【図７】  本発明の使用状態を示した説明図である。
【図８】  本発明の使用状態を示した説明図である。
【符号の説明】
【０００８】  １  ボタン    ２  布      ３  ガーゼ    ４  面ファスナー
５  平らな紐  ６  紐      ７  キャップ  ８  板
【図１】
2008253689.tif 000003
【図２】
2008253689.tif 000004
【図３】
2008253689.tif 000005
【図４】
2008253689.tif 000006
【図５】
2008253689.tif 000007
【図６】
2008253689.tif 000008
【図７】
2008253689.tif 000009
【図８】
2008253689.tif 000010
(57)【要約】【課題】極めてうすい紙などをめくり上げる時、ゴミくずチリなどの掃除の時、極めてうすい衣類などを引っぱり上げる作業時、あらゆる楽器を演奏する際、極めて細い（髪の毛等も含む）ものをつまみ上げる時の不便さ。【解決手段】人体に無害に近い米をのり状（むしろ固めぐらいが適宜）にして平らなヘラ状（人体に無害な木片でも可能）なもので指先と爪の間の隙間をやんわり軽く押すように埋め、更に水にぬらしたヘラ状のもので形を整え仕上げ、自然乾燥させることによって指先の皮フと感覚の再生及び他人様の皮フ感覚の再生ならびに無害という影響をも含め相互の皮フ感覚の再生をも目的とする方法。【選択図】図２
2008253718.tif 000002
【特許請求の範囲】
【請求項１】
人体に無害に近い米をのり状（むしろ固めぐらいが適宜）にして平らなヘラ状（人体に無害な木片でも可能）なもので指先と爪の間の隙間をやんわり軽く押すように埋め更に水にぬらしたヘラ状のもので形を整え仕上げ自然乾燥させることによって指先の皮フと感覚の再生及び他人様の皮フ感覚の再生ならびに無害という影響をも含め相互の皮フ感覚の再生をも目的とする方法。
【発明の詳細な説明】
【技術分野】
【０００１】指先の損傷をした方々の皮フと感覚の再生及び他人様の皮フ感覚の再生ならびに無害というむしろ優しい影響を含め相互の皮フ感覚の再生をも目的とする人体に無害に近い米をのり状にしたものを使用する方法。
【背景技術】
【０００２】
【特許文献１】特開平５−１６１６６７
【特許文献２】特開２０００−３４２６７８
【発明の開示】
【発明が解決しようとする課題】
【０００３】人体に無害な米をのり状（むしろ固めぐらいが適宜）にして平らなヘラ状（人体に無害な木片でも可能）のもので指先と爪の間の隙間をやんわり軽く押すように埋め、更に水にぬらしたヘラ状のもので形を整え仕上げ自然乾燥させることによって指先の皮フと感覚の再生及び他人様の皮フ感覚の再生ならびに無害というむしろ優しい影響をも含め相互の皮フ感覚の再生をも目的とする。
【課題を解決するための手段】
【０００４】人体に無害な米をのり状（むしろ固めぐらいが適宜）にして平らなヘラ状（人体に無害な木片でも可能）のもので指先と爪の間の隙間をやんわり軽く押すように埋め、更に水にぬらしたヘラ状のもので形を整え仕上げ自然乾燥させることによって指先の皮フと感覚の再生及び他人様の皮フ感覚の再生ならびに無害というむしろ優しい影響をも含め相互の皮フ感覚の再生をも目的とする方法。
【発明の効果】
【０００５】指先の損傷をした方々が極めてうすい紙をめくり上げる時、ゴミくずチリ等の掃除の時、はかないぐらいに薄手の衣類を引っぱりあげる作業時、あらゆる楽器を演奏する時、極めて細い（髪の毛なども含む）ものをつまみ上げる時の不便さを解消することが可能となる無害で安全な方法。
【図面の簡単な説明】
【０００６】
【図１】指先の図
【図２】指先と爪の間の隙間を埋めた図
【図１】
2008253718.tif 000003
【図２】
2008253718.tif 000004
(57)【要約】【課題】パッティングの練習時におけるフェースの方向を確認出来るパッティング練習補助器具を提供する。【解決手段】ラインレーザー投光機（４）をパターヘッドのすぐ上、バッテリーケース（１）をグリップに取り付け、ラインレーザー光の方向によりフェースの方向を確認する、方向の確認にラインレーザー光線を使ったことを特徴とする。【選択図】図２
2008253713.tif 000002
【特許請求の範囲】
【請求項１】
ゴルフクラブ（パター）のグリップ部にバッテリーケース（１）とスイッチ（２）をシャフトのヘッド近くにラインレーザー投光機（４）を設けたパッティング練習補助器具。
【発明の詳細な説明】
【発明の詳細な説明】
【技術分野】
【０００１】  この発明は、パッティングの練習を行うにあたって構えた時や、ストロークをした時にパターのフェースが正しい方向を向いているかを確認することが出来るパッティング練習補助器である。
【背景技術】
【０００２】  従来パッティングの練習に於いてはフェースの向きは自身の勘で行っていた、したがって自身の思いと実際のフェースの方向にずれが有っても確認できず、実際に方向が、ずれたままパッティングを行うと打球は自身の思いとは、ずれた方向へ転がっていた。
【発明が解決しようとする課題】
【０００３】イ、    パッティングをした時に自身の思いと実際のフェースの向きにずれが有る為、その打球は自身の思いとは、ずれた方向へ転がる事があった。
ロ、    パッティングのストロークするときに、フェース面が目標に向かって真っ直ぐなままストローク出来ていない為、その打球は自身の思いとは、ずれた方向へ転がることがあった。
ハ、    イ、ロ、によりパット数も多くなり、当然のことながらスコアーも悪くなっていた。
本発明は、以上の欠点を解決するためになされたものである。
【課題を解決するための手段】
【０００４】  パターのシャフトのヘッド近くに取り付け器具によりラインレーザー投光機（４）を取り付ける、バッテリーケース（１）はグッリプ部にテープ等で取り付ける、
バッテリーケース（１）とラインレーザー投光機（４）は電気コード（３）でつながっている
本発明は、以上の構成よりなるパッティング練習補助器具である。
【発明実施の形態】
【０００５】以下、本発明の説明をする。
（イ）ラインレーザー投光機（４）をパターヘッドのすぐ上に取り付け器具で取り付ける、バッテリーケース（１）はグリップ部にテープ等により取り付ける、
この時、パターフェースの方向とラインレーザー光線の方向を同じ方向に調整しておかなければならない。
（ロ）スイッチ（２）をオフにしておき、パターを目標に向かって構える、この時の方向は自身の勘によるものである、その状態のままスイッチ（２）をオンにしてラインレーザー光線を投光する、ラインレーザー光線が目標に当たれば、自身の勘による方向が正しかったことが確認でき、ラインレーザー光線が目標と、ずれていれば自身の勘による方向が間違っていたことが確認できる。
（ハ）スイッチ（２）をオンにしたまま、パターを目標に向かって構え素振り（パッティングの）をする、パターヘッドを引くときや、打ち出す時のフェースの方向をラインレーザー光線の動きにより確認できる、なぜならば目標に向いたままパターを引いたり、打ち出したり出来ていれば、ラインレーザー光線は、ぶれないで目標を指したままである。
【発明の効果】
【０００６】  本発明を使用することによって、今まで勘にたよっていたパターの方向性の、ずれやストローク時におけるフェースの方向を矯正できる、よってパッティングの技術の向上につながり、ゴルフプレーにおいて、パット数の減少、すなわちスコアの減少、ゴルフプレーの上達になる。
【図面の簡単な説明】
【図１】      本発明の全体図
【図２】      本発明の使用状態をあらわす図
【符号の説明】
１バッテリーケース
２スイッチ
３電気コード
４ラインレーザー投光機
【図１】
2008253713.tif 000003
【図２】
2008253713.tif 000004
(57)【要約】【課題】  室内において手軽に下肢の筋トレが可能な如く、室内履きとして多用されているスリッパに着目し、いつもは普通のスリッパとして使用し、筋トレする際には即座にウェイト付きスリッパとして使用出来るスリッパを提供する。【解決手段】  スリッパ本体の甲部に板状磁石体を内設し、当該磁石体に吸着する磁性体によりウェイト部材を形成し、スリッパ本体の甲部にウェイト部材が着脱自在な如く構成したことを特徴とする。【選択図】図１
2008253715.tif 000002
【特許請求の範囲】
【請求項１】
スリッパ本体の甲部に板状磁石体を内設し、当該磁石体に吸着する磁性体によりウェイト部材を形成し、スリッパ本体の甲部にウェイト部材が着脱自在な如く構成したことを特徴とするスリッパ。
【発明の詳細な説明】
【技術分野】
【０００１】  本発明は、普段は通常の室内履きとして利用し、トレーニング時には簡単にウェイトスリッパとして利用可能なスリッパに関するものである。
【背景技術】
【０００２】  スリッパは、居室、病院、老人ホーム、オフィス等で所謂室内履きの履物として多用されており、その履き心地、装着感、保温性、耐久性等といった点において様々な工夫を施した多種多様な製品が市販されている。一方、下肢の筋力トレーニング、リハビリ等で使用する器具としては、足首に巻くウェイトベルトやウェイトシューズ等があり、筋トレ時に自分で装着したり、看護士や療法士が装着介助して足上げ等のトレーニングに励んでいる。尚、一般家庭においては手軽に下肢トレーニングする器具は殆ど無く、前記器具を購入してトレーニングする者もいるが、その数は少ないと言わざるを得ない。
【発明の開示】
【発明が解決しようとする課題】
【０００３】  前述の如く、既存の下肢筋力トレ器具は、いちいち装着しなければならないといった面倒な手間を要し、ちょっとした時間、合間に手軽に使用する事が難しく、なかなかトレーニング効果、リハビリ効果を上げることが出来ていないのが実状である。【０００４】  本発明は上記の点に鑑みなされたものであって、室内において手軽に下肢の筋トレが可能な如く、室内履きとして多用されているスリッパに着目し、いつもは普通のスリッパとして使用し、筋トレする際には即座にウェイト付きスリッパとして使用出来るスリッパを提供することを目的とする。
【課題を解決するための手段】
【０００５】  上記目的を達成するための本発明のスリッパは、スリッパ本体の甲部に板状磁石体を内設し、当該磁石体に吸着する磁性体によりウェイト部材を形成し、スリッパ本体の甲部にウェイト部材が着脱自在な如く構成したことを特徴とするものである。
【発明の効果】
【０００６】  本発明は、普段はウェイト部材はつけずに普通のスリッパとして変わりなく使用するものであり、リハビリ時、テレビを見ている合間、椅子に腰掛けている等、様々な場面でウェイト部材をスリッパ本体甲部に内設した磁石体に吸着させれば良く、その場で直ぐに下肢筋トレが行えるものであり、従来の如き面倒な装着等は不要であって、極めて手軽に足先へのウェイト負荷が可能となり、何気ない日常生活の中でも三日坊主とならずに継続したトレーニングを促せるものとして、優れたトレーニング効果、リハビリ効果を発揮ならしむものと言える。
【発明を実施するための最良の形態】
【０００７】  下肢の筋力トレーニングを行うものとして、日常的に室内において使用しているスリッパに着目し、手軽に何処でも当該スリッパがウェイトスリッパとなり得る如く案出したことにより、筋トレは勿論、下肢の引締めやシェイプアップにも効果的なスリッパの提供を可能とした。【０００８】  図１は本発明の一実施例を示す斜視図、図２はウェイト部材を付けた状態を示す平面図である。【０００９】  図面において、１はスリッパ本体、２は甲部であって、甲部２には板状磁石体３を内設している。本実施例ではスリッパ本体１を甲部２が帯タイプのスリッパとしたが、爪皮タイプのスリッパであっても何ら問題ない。板状磁石体３は、本実施例では甲部２の手前から足先にかけて長手方向に至る如く長方形状としたが、短寸形状であっても或いは複数の小さい磁石体を内設する構造としても構わない。【００１０】  ４はウェイト部材であって、磁石体３に吸着可能な磁性体により形成したものであり、スリッパ本体の甲部２に着脱自在な如く設けたものである。ウェイト部材４の形状、重量等は適宜設定すれば良く、何ら特定されるべきものではない。尚、見た目でも楽しめるように美しい図柄や絵柄を施して美観を奏させることで継続的な使用頻度を高めることもポイントの一つである。【００１１】  ウェイト部材により負荷を持たせた本スリッパによるトレーニング方法は様々であるが、以下に一例を記載する。座位での膝の屈伸、大腿部の上げ下げ、踵を床面につけたままでの足先の上げ下げ、又、仰臥位での下肢全体の上げ下げ等々である。これらの運動は、筋力アップだけでなく、筋力低下の防止、歩行への体力作り、運動カロリーの消費、足の引締め等の効果も奏し、脳への刺激による活性化も期待できるものである。
【産業上の利用可能性】
【００１２】  本発明のスリッパは、一般家庭や施設の高齢者だけでなく、病院の入院患者、一般女性、肥満気味の者等、幅広い人々が利用出来、その利用価値は極めて高い。
【図面の簡単な説明】
【００１３】
【図１】  本発明の一実施例を示す斜視図。
【図２】  ウェイト部材を付けた状態を示す平面図。
【符号の説明】
【００１４】  １  スリッパ本体
２  甲部
３  磁石体
４  ウェイト部材
【図１】
2008253715.tif 000003
【図２】
2008253715.tif 000004
(57)【要約】      （修正有）【課題】寝たきりの方が、同じ姿勢で長い時間寝ることによって、自身の体重による体圧が、特定な箇所を圧迫することが要因で炎症を起こし、床ずれを発症する。それを防ぐような、しきパッドを提供する。【解決手段】化学合成樹脂を、Ｃ形状に薄く加工した製品は弾力性を有し、絡み合うＣ形樹脂を用い、しきパッド袋Ｃ形状製品をしきパット袋の中で移動させ、体形に合った凹凸を作り、自身の体重による体圧を凹凸で分散させる。また、発症する箇所に対しては、凹形状の空間１１にして、体重による体圧を減少させ、床ずれを防ぐ構成とした。【選択図】図４
2008253711.tif 000002
【特許請求の範囲】
【請求項１】
化学合成樹脂を、Ｃ形に薄く加工した特殊な形状は、弾力を有し、スプリング機能が生まれる。
【請求項２】
化学合成樹脂を、Ｃ形状に薄く加工した製品をクッション材として活用した、しきパット。
【発明の詳細な説明】
【発明の詳細な説明】
【技術分野】
【０００１】  本発明は、化学合成樹脂をＣ形に薄く加工した特殊な形状の合成樹脂は、適度な圧力に対して弾力を有する。この特性を活かし、Ｃ形状の樹脂製品をクッション材として活用するものである。
【背景技術】
【０００２】  従来のクッション材は、ウレタンホーム、スポンジ等にカバーをかぶせたものだった。したがって、袋の中で凹凸をつくる機能が皆無であった。
【発明が解決しようとする課題】
【０００３】  本発明は、その欠点をなくすために、しきパットの袋内で凹凸を自在に作り、これを容易に変えられるようにすることを課題として研究を進めた。
【課題を解決するための手段】
【０００４】  袋内で凹凸の形状をつくる素材がどのようなものが理想かをテストした結果、化学合成樹脂をＣ形に薄く加工した特殊な形状は、軽く弾力を有する。これらＣ形状の樹脂を積み合わせると、Ｃ形樹脂は絡み合いクッション機能を発揮する。これらを活かすことが最適であることを発見した。
【発明を実施するための最良の形態】
【０００５】  本発明は以上のような構成であるから、袋の中でＣ型状の樹脂製品を移動させ、体形に合わせた凹凸を作り、体重による体圧を背中及び腰全体に均等に分散させることが可能になった。
【発明の効果】
【０００６】  本発明は以上のような構成から、Ｃ形の合成樹脂を凸形に積み重ね合わせると、Ｃ形状の樹脂は絡みあい、上部からの適度な圧力に対しては、ある程度沈みこむが作られた山形は殆ど崩れない。
そして、袋に入る量より袋を大きく作製することによって、袋の中でＣ形樹脂の移動を容易にし、余分な袋布をたたみ込むことで山形の高さの調整を容易にした。
また、袋の中心部を丸型に縫うことによって、Ｃ形樹脂製品の移動を制限することで、より一層、凹型の形状が保てる。
したがって、Ｃ形状の樹脂が絡み合っている為に、山形と山形の間に凹形の空間がつくられる。
これらの機能をしきパットに活かし、床ずれの要因である、自身の体重による体圧を背中及び腰全体に分散させ、発症を防ぐことを目的とした。
そして、発症箇所に対しては、凹形の空間を作ることで体重による体圧を減少させ、床ずれを防げる。
自然な寝姿である仰向きで寝ていても、しきパットの凹凸形状を調整し、自身の体圧を背中全体に分散させ、発症を防ぐことが可能になった。
現代は高齢化が進み、高齢者の増加により、寝たきりの方が多くなり、在宅での介護で床ずれを防ぐには、炎症を起こさないよう体位変換を常に行うことを必要としている。
特に、老老介護の場合は、介護する方も体力的に衰えている為に、常に行う体位変換には労力が必要であり、かなり難しい。
そして、体位変換での横向きに近い姿勢は無理な体勢であるために、苦痛を伴う。
したがって、在宅での老老介護では床ずれを防止することが難しい。
【図面の簡単な説明】
【図１】  本発明立体図
【図２】  しきパット斜視図
【図３】  しきパット断面図
【図４】  拡大断面図
【符号の説明】
（１）Ｃ形に加工した樹脂    （２）幅広に加工した樹脂    （３）樹脂が絡んだ形態
（４）調整機能のパット袋    （５）袋内で絡み合った形態  （６）凹凸調製した断面
（７）Ｃ形樹脂を袋詰めた形態（８）しきパット全体図      （８）人体の腰辺り断面
（９）発症患部              （１０）Ｃ形状の樹脂が詰まった形態
（１１）凹形状の空間        （１２）縫い目          （１３）凸調製に余った布袋
（１４）ベッド
【図１】
2008253711.tif 000003
【図２】
2008253711.tif 000004
【図３】
2008253711.tif 000005
【図４】
2008253711.tif 000006
(57)【要約】【課題】外出先で他人の使用したトイレの便座に座るときの抵抗感と清潔性の保持のためと便座の冷たさを避けるため、便座を紙で覆う手段。【解決手段】便座の幅の長さに裁断した細くて粘着度の緩い両面テープを台紙に貼付して携帯する。外出先のトイレで両面テープを剥がして便座に貼り付け、その上に備え付けのトイレットペーパーを載せ、その上に座る。このようにすると、便座に直接肌を触れないで座り用を足すことが出来る。  この両面テープは容易に切断又は千切ることの出来る細い両面テープをトイレの使用時に切断又は千切って使用することでも代用できる。【選択図】図１
2008253712.tif 000002
【特許請求の範囲】
【請求項１】
トイレの便座に粘着させて固定し、更にその上にトイレットペーパーを粘着させて固定するための両面粘着テープであって、その粘着テープは細く裁断されて携帯に便利なようになっており、外出先のトイレを使用するとき携帯しているこのテープを便座に貼り付け、更にその上にトイレットペーパーを載せて便座を覆うと、そのトイレットペーパーは粘着テープの効果によりずり落ちないためにその上に腰掛けて用を足すことが出来、用便を終わった後はそのテープをめくって廃棄することが出来るように緩い粘度の粘着であって、便座の幅に合わせた長さに切断されていることを特徴とする両面テープ。
【請求項２】
トイレの便座に粘着させて固定し、更にその上にトイレットペーパーを粘着させて固定するための両面粘着テープであって、その粘着テープは細く裁断されており、トイレを使用する際にこのテープを便座に貼り付け、更にその上にトイレットペーパーを載せて便座を覆うと、そのトイレットペーパーは粘着テープの効果によりずり落ちないためにその上に腰掛けて用を足すことが出来、用便を終わった後はそのテープをめくって廃棄することが出来るように便座に当たる面が緩い粘度であるか、或いはめくるために指を引っ掛けやすい構造となっていることを特徴とする両面テープであって、利用者が順次利用するよう便所に設置することが出来る形態のテープ。
【請求項３】
トイレの便座に粘着させて固定し、更にその上にトイレットペーパーを粘着させて固定するための両面粘着テープであって、その粘着テープは細くて携帯に便利なようになっており、外出先のトイレを使用する際に携帯しているこのテープを便座に貼り付け、更にその上にトイレットペーパーを載せて便座を覆い、その上に腰掛けて用を足すことができるよう、便座の幅に合わせた長さに容易に切り取るか又は千切り取ることができる上に、用便を終わった後で
そのテープをめくって廃棄することが出来るように便座に当たる面が緩い粘度になっているか、又は剥離のため指を引っ掛けやすい構造となっていることを特徴とする両面テープ。
【発明の詳細な説明】
【技術分野】
【０００１】  この発明は、他人の使用したトイレを後で使用するに際し、便座に座ることに対する抵抗感の除去、衛生面からの清潔性の保持並びに便座の冷たさの緩和を目的として、トイレットペーパーを便座に敷くための粘着テープの開発を目的とするものである。
【背景技術】
【０００２】  上記の３つの目的のために、使い捨ての便座カバー、使い捨てパッド等の発明・考案は数多く存在する。（例えば特許文献１・同２各参照）【０００３】
【特許文献１】  特公開平６−２１７９０２号公報
【特許文献２】  特公開平８−５２０９６号公報
【発明の開示】
【発明が解決しようとする課題】
【０００４】  上記の使い捨てのカバー類は何れもそれ相応の大きさのあるものであり、一方、清潔性の保持の必要性や他人の使用後の抵抗感は、家族間では許容される範囲内だとされる場合が多く、それらを感じるのは自宅でよりもむしろ外出先での場合が多い。
従って、携帯して持参することが出来ないこれらの器具は、外出時の適時の使用に耐えるものではない。【０００５】  本発明は、外出先のトイレに常備してあるトイレットペーパーに着目し、それを利用して便座を覆い、便座カバーやパッドに替えようとするものである。
【課題を解決するための手段】
【０００６】  多数の者が利用するトイレにおいて、僅かな例ではあるが紙製のカバーを備え付けてあったり、利用者の中にはトイレットペーパーを敷き詰めたりする者もあるが、それらの利用に大きな障害となるのは座するときの予想外に大きな圧力と尻の動きによる紙のずれである。【０００７】  そこで、図１に示すとおり、便座の幅に合わせて長さを裁断した細い両面テープ（３）に引き出しを容易にするための粘着液を塗らない部分（２）を付属させたテープ数枚以上を台紙（１）に貼って携帯し、外出先でトイレを使用する際に両面テープを剥がして図２のとおり便座に貼り、その上にトイレットペーパーを載せて便座を覆うと、そのトイレットペーパーは両面テープにより固定されて滑らなくなる。
【発明の効果】
【０００８】  このような状態で便座に座ると、便座に直接肌を触れることなく座ることが出来、敷いたトイレットペーパーは両面テープにより便座に固定されているので、トイレットペーパーがずれることなしに用を足すことが出来る。
【発明を実施するための最良の形態】
【０００９】  用便の済んだ後は、このトイレットペーパーを便器に流せばよいが、その際、両面テープの粘着度はプラスティックに対するよりもトイレットペーパーに対する方が高いので、便座に貼った両面テープは剥がれ、トイレットペーパーに付いたまま流れ去ることとなる。【００１０】  この際、両面テープは下水溝へ流れ去るため、下水溝が詰まらないためには極細に裁断されたものか、或いは水に解けやすい材質の紙に粘着液を塗ったもの、それも公衆の利用する便座に貼るのであるから、綺麗に剥がれるために粘着度の極めて低いものを使用しなければならない。
なお、この両面テープには上から下への圧力が掛かるだけなので、それで十分の固定が保たれる。【００１１】  普通、両面テープはこのようにトイレットペーパーに付いたまま流れ去るが、便座に付着したままになることもあるので、図１に示すように粘着テープのうち一部分に粘着液を塗らない部分（２）を設け、手掛かりを残す部分とした。【００１２】  図１に示すような裁断済みの粘着テープを携帯することに替えて、好みの場所で容易に切断又は千切り去ることができる粘着度の緩い両面テープを使用し、便座用粘着テープとして携帯し、トイレ使用の際に千切り或いは切断して使用することも可能である。
【実施例】
【００１３】  多数の者が利用するトイレを設置したものが、トイレ使用者に対するサービスとして、順次利用することが出来るようにした粘度の緩い両面テープを、便座へのトイレットペーパー固定用テープとしてトイレ内に設置することができる。
【図面の簡単な説明】
【００１４】
【図１】  台紙に貼付された裁断済みの細い両面テープ
【図２】  便座に貼付した両面テープ
【符号の説明】
【００１５】    １  粘着シート台紙
２  両面テープに付属した粘着液を塗っていない部分
３  粘着両面テープ
【図１】
2008253712.tif 000003
【図２】
2008253712.tif 000004
(57)【要約】【課題】  医療用の小型殺菌空気清澄機は、効果が小さい。【解決手段】  殺菌ランプを利用することで、殺菌空気清澄機を小型化できる。【特許請求の範囲】
【請求項１】
本考案は、主として医療用として考案した、空気除塵除菌殺菌機器システムであります。除塵
2008253717.tif 000002
の汚染空気を殺菌除菌したのち吹出し口清澄空気として排出する空気殺菌除菌エアコンディショナーシステムである。
【発明の詳細な説明】
【技術分野】
【０００１】  本考案は、吸込み口より取り入れた空気を除塵除菌フィルターを通した後、殺菌ランプ（殺菌蛍光灯等）にて殺菌した空気を吹出し口より吹出し同時に、吹出し先の汚染空気を吸込み口より吸込み殺菌ランプにて殺菌した後、除菌除塵フィルターを通して清澄空気として排出するシステムであります。【０００２】  本考案は、ビニールテント等で覆って区画した小空間で利用することで最大限の効果を発揮することができる。【０００３】  本考案は、小型化してハンディな利用法が望ましい。【０００４】  本考案を大型化して大空間の除菌除塵殺菌エアコンディショナーとして利用することも可能である。【０００５】  本考案の除菌除塵フィルターは、パッケージ式として随時取り替え、常時最大の効果を発揮するようにする。【０００６】  本考案は、あくまでシステムの考案であり、実際の製品は形状等が変化することを考慮するものであります。
【背景技術】
【０００７】  医療用としての空気清澄機をより進歩させたものとして期待できる。
【発明が解決しようとする課題】
【０００８】  小型の空気殺菌清澄機として主に医療用として利用できる。
【課題を解決するための最良の形態】
【０００９】  詳しい構造及び形態の説明は、図面によります。
【図面の簡単な説明】
【００１０】  説明のための簡単な説明図
【図１】
2008253717.tif 000003
【図２】
2008253717.tif 000004
【手続補正書】
【提出日】平成19年8月16日(2007.8.16)
【手続補正１】
【補正対象書類名】明細書
【補正対象項目名】００１０
【補正方法】変更
【補正の内容】
【００１０】
【図１】簡単な断面説明図
【図２】簡単なスケッチ
(57)【要約】【課題】本発明は、食材・食品等を洗浄するときの流出量を調整したり、浸した液体を簡単に取出したり、水切りが簡単にひとつのボウルでできる、デザイン的にも優れたザルボウルを提供すること。【解決手段】本発明は、ボウル本体１に形成した底部の流出口２と着脱可能なザル３を固定するためのザル押え４・ザル止め５と、又、流出口２を開閉するためにボウル本体１とねじ式で接合された栓１０と流出孔１１を形成した底蓋９、及び、カット部分６と突起７が成形された着脱可能なザル３とで構成され、食材・食品の洗浄・浸し・水切り等がひとつのザルボウルでできる。【選択図】図２
2008253703.tif 000002
【特許請求の範囲】
【請求項１】
ボウル底部に流出口が形成されたボウル本体に、流出口を開閉するための栓を設けた底蓋と、ザルが付属されたことを特徴とするザルボウル。
【請求項２】
栓を設けた底蓋は、ボウル本体とねじ式で接合され、底蓋を回転することで流出口を開閉する構造で、底部に流出のための流出孔を成形した、ボウル本体と着脱可能な請求項１記戴のザルボウル。
【請求項３】
ザルは着脱可能で、ボウルに固定するためのザル押えとザル止めがボウル本体に形成されたことを特徴とする請求項１又は２記載のザルボウル。
【請求項４】
着脱可能なザルには、ボウル本体と着脱するためのカット部分と突起が成形されたことを特徴とする請求項１又は２・３記載のザルボウル。
【請求項５】
着脱可能なザルは、網状ザル・穴空きザルまたはスリット状に空いたザル等、各種ザルと取替えが可能なことを特徴とする請求項１又は２〜４記載のザルボウル。
【発明の詳細な説明】
【技術分野】
【０００１】本発明は、料理する時に食材・食品等を洗浄したり浸したりする時に使うザルとボウルに関するものである。
【背景技術】
【０００２】従来から食材・食品等を洗浄したり浸したりするザルやボウルは数々のものがある。
ザルとボウルを重ねて使うもの、又、ボウルの一部をザル状にしたものやボウルに排水口を設けたものなどがあるが、ボウルだけで洗浄するときの流出量を手軽に調整したり、浸した液体を簡単に取出すものはない。【０００３】一方、特許公開平１０−２０１６４８には、底部に排水口のあるボウルと周壁部にスリットを設けた内側ボウルを重ね蜜着することで排水口を遮断する「流し台用水切りボウルセット」や、特許公開２００３−１９００２８には、ボウル内に収納されたザルがボウルと回転自在に連結された「水切り具」や、又、特許公開２００６−１４９７４３では、底部がザル状ボウルの高台が平坦な床面に密着することで蓋の効果で水を溜め、又、床面から持上げることで排水する「水切りボウル」がある。
【発明の開示】
【発明が解決しようとする課題】
【０００４】食材・食品等を洗浄するときの排水量を手軽に調整したり、浸した液体を簡単に取出したり、又、洗浄後の水切りが簡単にひとつのボウルでできる、デザイン的にも優れたザルボウルを提供すること。
【課題を解決するための手段】
【０００５】本発明は、ボウル底部に洗浄水等の流出のための流出口と着脱可能なザルを固定するためのザル押え・ザル止めが形成されたボウル本体と、流出口を開閉するための栓を設けた底蓋、及び、着脱可能なザルとで構成される。【０００６】栓を設けた底蓋は、ボウル本体とねじ式で接合されて回転することで流出口を開閉する構造で、底部にはボウル本体の流出口からの流出のための流出孔を成形し、又、ボウル本体とは着脱可能である。【０００７】着脱可能なザルには、カット部分と突起が成形されたことでボウル本体との着脱がしやすく固定も可能になり、又、網状ザル・穴空きザルまたはスリット状に空いたザル等、各種ザルと取替えが可能である。
【発明の効果】
【０００８】本発明により、ひとつのザルボウルで食材・食品等を洗浄するときの流出量を手軽に調整し節水でき、浸した液体を簡単に取出したり、又、洗浄後の水切りが簡単で、各種ザルとの取替えも手軽にでき、ザルを除けばボウルとしても使える、掃除等の手入がしやすいデザイン的にも優れたものになった。
【発明を実施するための最良の形態】
【０００９】図１〜４は、ザルボウルの平面図・断面図・正面図であり、ボウル本体１には、洗浄水等の流出のための流出口２を底部に、着脱可能なザル３を固定するためのザル押え４ザル止め５を内部側面に形成し、又、流出口２を開閉するための栓１０を設けた底蓋９は、ボウル本体１とねじ式で接合されて回転することで流出口２を開閉する構造で、着脱可能なザル３とでザルボウルを構成しており、ひとつのザルボウルで食材・食品等を洗浄するときの流出量を調整したり、浸した液体を取出したり、又、洗浄後の水切りが簡単にできる。【００１０】底蓋９には、底部にボウル本体１の流出口２からの流出のための流出孔１１を成形し、又、ザル３には、カット部分６と突起７を成形することでボウル本体１との着脱がしやすく固定も可能になり、一方、網状ザル・穴空きザルまたはスリット状に空いたザル等、各種ザルと取替えが可能であり、底蓋９とザル３は、共にボウル本体１との着脱ができるので掃除等の手入が楽である。一方、ザル３を除けばボウルとしても使用できる。【００１１】本発明のザルボウルの形状や大きさは任意で、材料はプラスチックや金属等の通常のものでよく、栓１０と弾性パッキン１２はゴム系でもよい。
【図面の簡単な説明】
【００１２】
【図１】ザルボウルの平面図である。
【図２】ザルボウルのＡ−Ａ線に沿った断面図である。
【図３】ザルボウルの底平面図である。
【図４】ザルボウルの正面図である。
【符号の説明】
【００１３】１    ボウル本体
２    流出口
３    ザル
４    ザル押え
５    ザル止め
６    カット部分
７    突起
８    取っ手
９    底蓋
１０  栓
１１  流出孔
１２  弾性パッキン
【図１】
2008253703.tif 000003
【図２】
2008253703.tif 000004
【図３】
2008253703.tif 000005
【図４】
2008253703.tif 000006